(57)【特許請求の範囲】
【請求項１】
血液成分を集収し交換するための非連続式血液処理システムであって、
対象から全血を引き出し、血液成分を対象へ戻すための静脈アクセス装置、
前記引き出された血液を第１の血液成分及び第２の血液成分へ分離するための血液成分分離装置であって、流入口及び流出口を有し、前記第１の血液成分を第１の血液成分バッグへ送るように構成されており、当該血液成分分離装置の同じ流出口を通して、前記第１の血液成分及び前記第２の血液成分の吐出を切り換えるようになっている、血液成分分離装置、
前記静脈アクセス装置に流体接続され、引き出された全血を前記血液成分分離装置に輸送するように構成されている血液ドローラインであって、当該血液ドローラインを通る流れが血液ドローポンプによって制御されている、血液ドローライン、
抗凝血剤源に接続され、抗凝血剤を引き出された全血内に導入する抗凝血剤ラインであって、当該抗凝血剤ラインを通る流れが抗凝血剤ポンプによって制御されている、抗凝血剤ライン、並びに
前記静脈アクセス装置と前記血液成分分離装置の前記流入口とに流体接続された、前記分離装置内に残っている血液成分を患者に戻すためのリターンラインであって、当該リターンラインを通る流れがリターンポンプによって制御され、当該リターンラインが、前記静脈アクセス装置に、前記血液ドローポンプと前記静脈アクセス装置との間の地点で流体接続する、リターンライン
を備えている、非連続式血液処理システム。
【請求項２】
前記血液成分分離装置が２−ポート遠心分離ボウルを含み、前記流入口が前記流出口とは異なる、請求項１に記載の血液処理システム。
【請求項３】
前記第１の血液成分が血漿であり、前記第２の血液成分が赤血球である、請求項１に記載の血液処理システム。
【請求項４】
前記第１の血液成分が血小板であり、前記第２の血液成分が血漿である、請求項１に記載の血液処理システム。
【請求項５】
前記抗凝血処理ラインが、前記抗凝血剤を引き出された血液に、前記静脈アクセス装置の近くで導入する、請求項１に記載の血液処理システム。
【請求項６】
前記第１の血液成分が赤血球である、請求項１に記載の血液処理システム。
【請求項７】
前記リターンライン上に、前記血液成分分離装置と前記静脈アクセス装置との間に配置されたバルブをさらに備えており、当該バルブが、前記リターンライン内の流れを停止する、請求項１に記載の血液処理システム。
【請求項８】
前記リターンラインに配置された血漿リザーバをさらに備えており、該血漿リザーバが、血漿を保持するためのものである、請求項１に記載の血液処理システム。
【請求項９】
前記第１の血液成分が血小板である、請求項１に記載の血液処理システム。
【請求項１０】
前記血液成分分離装置が、引き出された血液を、前記第１の血液成分及び前記第２の血液成分に加えて、第３の血液成分にさらに分離する、請求項９に記載の血液処理システム。
【請求項１１】
前記第２の血液成分に加えて、前記第３の血液成分が対象へ前記リターンラインを介して戻される、請求項１０に記載の血液処理システム。
【請求項１２】
血液成分を集収し交換する血液処理システムであって、
全血を対象から引き出し、血液成分を対象へ戻すための静脈アクセス装置、
前記引き出された血液を第１の血液成分及び第２の血液成分へ分離するための２−ポート血液成分分離装置であって、当該血液成分分離装置が、前記第１の血液成分を第１の血液成分バッグへ送るように構成されている、２−ポート血液成分分離装置、
前記静脈アクセス装置に流体接続され、前記引き出された全血を前記血液成分分離装置へ輸送するように構成されている血液ドローラインであって、当該記血液ドローラインを通る流れが血液ドローポンプによって制御され、
抗凝血剤源に接続された、抗凝血剤を前記引き出された全血へ導入する抗凝血剤ラインであって、当該抗凝血剤ラインを通る流れが抗凝血剤ポンプによって制御されている、抗凝血剤ライン、並びに
前記静脈アクセス装置と前記血液成分分離装置の流入口とに流体接続され、前記血液成分分離装置内に残っている血液成分を前記患者へ戻すためのリターンラインであって、当該リターンラインを通る流れがリターンポンプによって制御され、当該リターンラインが、前記静脈アクセス装置に、前記血液ドローポンプと前記静脈アクセス装置との間の地点で流体接続している、リターンライン
を備えている、血液処理システム。
【請求項１３】
前記２−ポート血液成分分離装置が遠心分離ボウルである、請求項１２に記載の血液処理システム。
【請求項１４】
前記第１の血液成分が血漿であり、前記第２の血液成分が赤血球である、請求項１２に記載の血液処理システム。
【請求項１５】
前記第１の血液成分が血小板であり、前記第２の血液成分が血漿である、請求項１２に記載の血液処理システム。
【発明の詳細な説明】
【技術分野】
【０００１】
優先権
本特許出願は、「Three-Line Apheresis System and Method」と題され、代理人書類番号１６１１／Ａ５１で譲渡され、Etienne Pages及びMichael Ragusaを発明者とする２００８年４月１４日付け出願の米国特許出願第１２／１０２，４０７号の優先権を主張するものであり、当該米国出願の内容全体は参照によりここに援用される。
【０００２】
技術分野
本発明は、血液処理のためのシステム及び方法、詳細には、３−ラインアフェレーシスシステム及びそれを用いる方法に関する。
【背景技術】
【０００３】
アフェレーシスは、個々の血液成分を、対象（対象者）から一時的に引き出された全血から分離し収集することができる処置である。典型的には、全血は、対象者の腕に挿入された針を介して、遠心分離ボウルのような細胞分離器へと引き出される。全血をその様々な成分（例えば、血漿、赤血球、白血球及び血小板）に分離した後、１つ以上の成分を遠心分離ボウルから除くことができる。残りの成分は、除かれた成分の体積を補償するための任意の流体補償と共に対象へ戻す。
【０００４】
アフェレーシスシステムにおいて考慮すべきことの１つは、体外体積（extra corporeal volume、ＥＣＶ）の量、つまり、処置中、体の外部にある全血量である。供血者対象の安全性のために、また供血者対象の処置に対する許容度を改善するために、この体外体積は最小限に抑えるべきである。ＥＣＶの限界があることにより、様々なアフェレーシスシステム及び分離装置の設計が製作されている。例えば、現状のアフェレーシスシステムは、典型的には、連続流分離装置又は非連続流分離装置を採用する。連続流分離装置は、典型的には、分離プロセス中、分離された成分を装置内で蓄積しない（しかし、分離装置の外部に容器を追加することはできる）。これに対して、非連続式分離装置内には、典型的には、血液成分が蓄積され、その後、分離装置から除かれ抽出される。
【０００５】
連続式分離装置と非連続式分離装置との他の重要な違いは、それぞれが有するアクセスポートの数である。特に、連続流分離装置は典型的には、少なくとも３つのアクセスポート（抗凝血処理された全血のための１つの入口ポート及び２つの成分用出口ポート）を有しており、その一方、非連続式分離装置は、２つのポートしか有していない（流入口及び流出口）。
【０００６】
非連続式分離装置（例えば、２−ポート遠心分離ボウル）を利用するアフェレーシスシステムは、全血を、供血者又は患者から導管を通して、成分分離が行われる遠心分離ボウル内へ引き出す。十分な体積がボウル内に存在するようになったら、新しい血液の引き出しを停止し、所望しない成分を供血者又は患者に同じ導管を通して間欠的に戻すが、これは、遅延時間を生じさせ、全体の処置時間を増大させるものである。戻しが完了したら、全血を再び供血者又は患者から引き出し、第２のサイクルを開始する。このバッチプロセスを、成分の所望の量が集収されるまで続ける。
【発明の概要】
【０００７】
本発明の態様によれば、血液処理システムは、血液成分を集収し、除き（取り出し）、交換することができる。この血液処理システムは、非連続式システムであってよく、全血を対象から引き出し、血液成分を対象へ戻すための静脈アクセス装置と、血液成分分離装置とを備えていてよい。血液成分分離装置は、引き出された血液を少なくとも第１の血液成分及び第２の血液成分に分離するものであり、第１の血液成分を第１の血液成分バッグに送るように構成されていてよい。血液成分分離装置は、流出口を備えていてもよく、流出口を通して第１の血液成分を送り出すか第２の血液成分を送り出すかの切り換えを行うことができる。血液処理システムは複数のラインを有していてもよく、それには、非限定的に、血液ドロー（引出し）ライン、抗凝血剤ライン及びリターン（戻し）ラインが含まれる。上記ラインのそれぞれを通る流れを、ライン固有のポンプが制御する。
【０００８】
血液ドローラインは、静脈アクセス装置に流体接続されており、引き出された全血を血液成分分離装置へ輸送するように構成されていてよい。血液ドローポンプは、血液ドローラインを通る流れを制御することができる。抗凝血剤ラインは、抗凝血剤源に接続されていてよく、抗凝血剤を引き出された全血内に、例えば静脈アクセス装置の近くで導入することができる。抗凝血剤ポンプは、抗凝血剤ラインを通る流れを制御することができる。リターンラインは、静脈アクセス装置と血液成分分離装置とを流体接続し、第２の血液成分又は補償流体を対象へ戻すために使用することができる。リターンポンプは、リターンラインを通る流れを制御することができる。いくつかの態様では、リターンラインは、静脈アクセス装置に、血液ドローポンプと静脈アクセス装置との間の地点で流体接続している。
【０００９】
他の態様によれば、血液成分分離装置は遠心分離ボウルであり、引き出された血液を、第１の血液成分及び第２の血液成分に加えて、第３の血液成分に分離することができる。第２の血液成分に加えて、第３の血液成分を、対象へリターンラインを介して戻すことができる。第１の血液成分は血漿であってよく、第２の血液成分は赤血球であってよく、第３の血液成分は血小板又は他の血球であってよい。別態様では、第１の血液成分は血小板であってよく、第３の血液成分は血漿であってよい。
【００１０】
さらなる態様によれば、サージ・エルトリエーション（surge elutriation）ステップを、生理食塩水又は他の補償流体を利用して、血漿をボウルから抽出するために使用することができる。加えて、システムは、リターンライン上に、血液成分分離装置と静脈アクセス装置との間に配置されているバルブを備えていてよい。バルブは、リターンライン内の流れを停止させる。サージ・エルトリエーションの際、血液成分分離装置は、第１の血液成分を第１の血液成分バッグに送ることができる。システムは、リターンラインに配置されている、血漿を保持する血漿リザーバを有してよい。
【００１１】
本発明のさらに別の態様によれば、血液成分を集収し交換する方法が用いられる。上記方法は、静脈アクセス装置を対象に挿入すること、及び血液を対象から引き出すことを含む。静脈アクセス装置は、ドローライン、抗凝血処理ライン及びリターンラインに接続されていてよい。上記方法は、血液を対象から、血液成分分離装置に接続されているドローラインを通して引き出す。ドローラインポンプは、ドローラインを通る流れを制御する。上記方法は、引き出された血液中に抗凝血剤を、抗凝血剤ラインを通して導入することもできる。抗凝血剤ラインポンプは、抗凝血剤ラインを通る流れを制御する。対象から引き出された血液の量が、必ずしも血液成分分離装置を満たす必要はない。
【００１２】
引き出された血液が血液成分分離装置内に入ったら、上記方法は、引き出された血液を第１の血液成分及び第２の血液成分へ分離し、第１の血液成分を血液成分分離装置から抽出する。次いで、上記方法は、第２の血液成分を対象へリターンラインを通して戻すことができ、このリターンラインは、静脈アクセス装置に、ドローラインポンプと静脈アクセス装置との間の地点で流体接続している。リターンラインポンプは、リターンラインを通る流れを制御する。血液成分分離装置は遠心分離ボウルであってよい。
【００１３】
他の態様によれば、上記方法は、第２の成分を患者に戻す間、血液の引き出しを中断し、目標の血漿体積が抽出されるまでいくつかの又は全てのステップを繰り返すこともできる。加えて、上記方法は、リターンライン内の圧力も監視し、その監視された圧力に基づいてリターンライン内の流体の流れを調節し、それにより、所望の圧力範囲内に圧力を維持する。上記方法は、血液が対象から引き出された後、補償流体の体積も対象へ戻すことができ、それにより、引き出された血液の体積が埋め合わせられる。
【００１４】
さらに別の態様によれば、血液成分を集収し交換するための血液処理システムは、全血を対象から引き出し、血液成分を対象へ戻すための静脈アクセス装置を備えていてよい。上記システムは、引き出された血液を第１の血液成分及び第２の血液成分へ分離し、第１の血液成分を第１の血液成分バッグへ送る２−ポート血液成分分離装置を有していてもよい。血液処理システムは、複数のラインを有していてもよく、それには、非限定的に、血液ドローライン、抗凝血剤ライン及びリターンラインが含まれる。ラインに固有のポンプは、前記ラインのそれぞれを通る流れを制御することができる。
【００１５】
血液ドローラインは、静脈アクセス装置に流体接続され、引き出された全血を血液成分分離装置へ輸送するように構成されていてよい。血液ドローポンプは、血液ドローラインを通る流れを制御することができる。抗凝血剤ラインは、抗凝血剤源に接続されていてよく、抗凝血剤を引き出された全血へ、例えば静脈アクセス装置の近くで導入することができる。抗凝血剤ポンプは、抗凝血剤ラインを通る流れを制御することができる。リターンラインは、静脈アクセス装置と血液成分分離装置とを流体接続していてよく、第２の血液成分又は補償流体を対象へ戻すために使用することができる。リターンポンプは、リターンラインを通る流れを制御することができる。いくつかの態様では、リターンラインは、静脈アクセス装置に、血液ドローポンプと静脈アクセス装置との間の地点で流体接続している。２−ポート血液成分分離装置は遠心分離ボウルであってよい。第１の血液成分は血漿であってよく、第２の血液成分は赤血球であってよい。別態様では、第１の血液成分は血小板であってよく、第２の血液成分は血漿であってよい。
【００１６】
以上の本発明の特徴は、添付の図面を参照しながら以下の詳細な説明を読むことによってより容易に理解されるであろう。
【図面の簡単な説明】
【００１７】
【図１】従来の２−ポートの単一アクセス式（single access）血液処理システムの概括的な構造を概略的に示す。
【図２】本発明の態様による３−ラインの単一アクセス式システムの概括的な構造を概略的に示す。
【図３】本発明の態様による３−ラインの単一アクセス式システムのより詳しい構造を概略的に示す。
【図４】本発明の一態様による、図１の機械と共に使用するための２−ポートの遠心分離ボウルの側面図を概略的に示す。
【図５】本発明の態様による、図２、３及び４に示すアフェレーシスシステムの構成要素を含むディスポーザブルセットの一態様を示す。
【図６】１つの本発明の一態様による３−ラインの単一アクセス式システムを使用する一方法のステップを示すフローチャートを示す。
【図７】本発明のさらなる態様による３−ラインの単一アクセス式システムを使用する第２の方法のステップを示すフローチャートを示す。
【発明を実施するための形態】
【００１８】
本発明の態様は、血液アフェレーシス処置を行うためのシステム及び方法を提供する。特定の態様は、より短い全処置時間で、ほんの限られた「むだ時間」で、小さな体外体積、全ての引き出された血液の処理及び引き出された血液の、処理され戻される血液への最小限の曝露を提供する３−ラインの単一アクセス式の血液アフェレーシスシステムを提供する。上記方法及びシステムは、血液を対象から引き出し、抗凝血剤を引き出された血液中へ導入し、使用されない又は処理後の血液成分を対象へ戻すための専用のラインを利用することができる。例示的な態様の詳細を以下に説明する。
【００１９】
図１に示すように、また上述したように、２−ポート分離装置（例えば遠心分離ボウル１２）を利用する従来のシステム１０は、全血を供血者又は患者から導管１４を通して遠心分離ボウル１２内へ引き出し、この遠心分離ボウル１２内で成分分離が行われる。ボウル１２内に十分な体積が入れば、システム１０は全血の引き出しを停止し、所望の成分を集収し（例えば、血漿をライン１９及びバッグ１８を介して且つ／又は血小板をライン２０及びバッグ２２を介して）、所望しない成分を供血者又は患者へ同じ導管１４を通して間欠的に戻すが、これは、遅延時間を生じさせ、全処理時間を増大させるものである。リターンステップが完了した時、全血を再び供血者又は患者から引き出し、第２のサイクルを開始する。このバッチプロセスは、成分の所望の量が集収されるまで続けられる。遠心分離ボウル１２には２つのポートしかないために、抽出された成分は、その各導管（例えば、血漿バッグライン１９及び血小板バッグライン２０）内へと分かれる前に、所定の長さの導管１７を共有することに留意することは重要である。
【００２０】
これに対して、図２に示すように、本発明の態様は、全血を対象から引き出し、抽出されていない且つ／又は所望でない成分を対象へ、専用のラインを介して戻す。特に、血液処理システム１００は、全血を対象から、対象の腕に挿入されていてよい静脈アクセス装置１１０を通して引き出す。静脈アクセス装置１１０は、そこから延びる３つのラインを有していてよい。第１のライン、つまり血液ドローライン１２０は、静脈アクセス装置１１０を血液成分分離装置１５０へ流体接続する。よって、全血を対象から引き出す時には、血液は、静脈アクセス装置１１０を通して、ドローライン１２０を介し、血液成分分離装置へと通過していく。ドローラインに配置されたドローポンプ１２２は、ドローライン１２０を通るドロー流れの方向、流量及び期間を制御する。
【００２１】
全血を対象から引き出している時、抗凝血剤を全血に添加することができ、それにより、血液がライン内又は血液成分分離装置１５０内で凝血するのを防止する。そのために、システムは、一方の端部で抗凝血剤源１３４（例えば、抗凝血剤のバッグ）に、もう一方の端部で静脈アクセス装置１１０（又はドローライン１２０）に流体接続されている抗凝血剤ライン１３０を備えていてよい。抗凝血剤ライン１３０は抗凝血剤ポンプ１３２を通って延びており、抗凝血剤ポンプ１３２は、抗凝血剤ライン１３０を通る流れ及び全血内に導入されたの抗凝血剤量を制御することができる。いくつかの態様では、抗凝血剤ポンプ１３２は、ドローポンプ１２２に対して比例的に作動し、それにより、抗凝血剤の適正な量が全血に添加されることを保証する。抗凝血剤は任意の地点で全血に添加することができるが、抗凝血剤は全血に、静脈アクセス装置１１０のできるだけ近くで導入することが好ましい。任意のライン／導管が、ライン内の流れを停止させるためのクランプバルブ（clamp valve）１６４を備えていてよいことに留意することは重要である。
【００２２】
抗凝血処理された全血の所望の量を対象から引き出し、血液成分分離装置１５０内に収容したら、血液成分分離装置は、全血をいくつかの血液成分に分離する。例えば、血液成分分離装置は、全血を、第１の、第２の、第３の血液成分、及びできれば第４の血液成分に分離することができる。より具体的には、血液成分分離装置１５０は、全血を、血漿、血小板、赤血球及びできれば白血球に分離することができる。以下により詳細に説明するように、血液処理システム１００のいくつかの態様は、輸送ポンプ２１０及び血漿バッグ１５８に接続された希釈／抽出ライン１６０を備えていてよい。輸送ポンプ２１０及び希釈／抽出ライン１６０は、血液成分分離装置に導入される抗凝血処理された引き出された血液の希釈を含む様々な目的に使用することができる。例えば、ユーザが、引き出された血液がより高い血漿含有量を有するものであるよう望む場合には、システムは、前記輸送ポンプを作動させ、血漿バッグ１５８からの血漿を、引き出された血液にドローライン１２０内で導入することによって引き出された血液を希釈することができる。追加的に又は別態様で、輸送ポンプをサージ・エルトリエーション（以下に詳細に説明する）の際に、使用することができ、それにより、血漿を血漿バッグ１５８から血液成分分離装置１５０へ導入し、血小板（又は他の血液成分）を抽出する。
【００２３】
全血を血液成分に分離するために、様々な血液成分分離装置１５０を使用することができるが、本発明のいくつかの態様は、参照によりここに援用される米国特許第３，１４５，７１３号に記載されているような標準的なレーサム型の遠心分離器を使用する。しかし、本発明の他の態様は、他の血液成分分離装置１５０、例えば、非限定的に、参照によりここに援用される米国特許第４，９８３，１５６及び４，９４３，２７３号に記載の一体のブロー成形された遠心分離ボウルを使用することもできる。
【００２４】
図４に示すように、レーサム型遠心分離器１１を使用する場合、血液成分分離装置１５０は、回転可能なボウル１２、並びに回転式シール７４によってボウル内部に流体連結されている不動の入口及び出口ポートＰＴ１及びＰＴ２を備えている。ドローライン１２０は、静脈アクセス装置１１０（例えば、瀉血針）及び入口ポートＰＴ１を流体接続する。いくつかの態様では、全血をまずプールし、その後供給したい場合には、静脈アクセス装置１１０は、全血バッグ（図示せず）で置き換えられていてよい。そのような態様では、ドローライン１２０は、全血バッグ及び入口ポートＰＴ１を流体接続する。
【００２５】
上述のように、血液成分分離装置１５０は、全血をその構成成分へと分離する。より詳細には、ボウル１２が回転する際に、遠心力が、ボウルの底部へ入った抗凝血処理された全血を、赤血球（ＲＢＣ）、白血球（ＷＢＣ）、血小板及び血漿に分離する。ボウル１２の回転数は、例えば４，０００〜６，０００ｒｐｍの範囲で選択することができ、典型的には４，８００ｒｐｍである。血液は、成分密度に応じて異なる画分に分離される。より高い密度の成分、つまりＲＢＣ６０は、ボウル１２の外壁７０に押しやられ、その一方、より低い密度の血漿６６はコア７２のより近くに留まる。バフィーコート６１は、血漿６６とＲＢＣ６０との間に形成される。バフィーコート６１は、血小板６４の内層、血小板及びＷＢＣの移行層６８、並びにＷＢＣ６２の外層からなっている。血漿６６は、分離領域から流出口ポートに最も近い成分であって、追加の抗凝血処理された全血が流出ポートＰＴ１を通してボウル１２に入る時に、ボウル１２から流出口ポートＰＴ２を介して排出される最初の流体成分である。
【００２６】
血液成分分離装置１５０が血液を様々な成分に分離した後、１つ以上の成分を血液成分分離装置１５０から除くことができる。例えば、血漿は、ライン１５２を通して血漿バッグ１５８へ（図３）、ライン２２２を通して廃棄バッグ２２０（図３）へ除くことができる。別態様では、血漿は、リターンライン１４０上に配置された血漿リザーバ（図示せず）へと除くことができる。除かれた血漿（又は補償流体）は、後に、血液成分分離装置１５０内へ流量を増大させながら導入し、それにより、血小板を血小板バッグ１５６へライン１５４を介して抽出し、送ることができる。このプロセスは、サージ・エルトリエーションとして知られる。所望の成分を血液成分分離装置から除いた後、システムは、残りの成分対象へ戻すことができる。システムは、成分を対象へ、専用のリターンライン１４０を介して戻すことができる。リターンライン１４０は、血液成分分離装置１５０と静脈アクセス装置１１０とを流体接続する。好ましい態様では、リターンライン１４０は、静脈アクセス装置１１０に、血液ドローポンプ１２２と静脈アクセス装置１１０との間の地点で流体接続する。抗凝血剤ライン１３０及びドローライン１２０と同様、リターンライン１４０も専用のポンプ１４２を有する。リターンポンプ１４２は、リターンライン１４２内の流体の流れの方向、流量及び期間を制御する。いくつかの態様では、システムは、リターンポンプ１４２の上流で、リターンライン１４０に流体接続する血漿リターンライン１６２有していてもよい。血漿リターンライン１６２によって、システム１００が、血漿バッグ１５８内に収容されている血漿を対象へ戻すことができる。血漿リターンライン１６２は、血漿を対象へ戻すために、リターンポンプ１４２を利用することができる。
【００２７】
いくつかの態様によれば、システム１００は、非連続的なバッチ様プロセスで、全血を引き出し、成分に分離し、血液成分を血液成分分離装置から抽出することができる。例えば、システム１００は、特定の体積が血液成分分離装置１５０内に存在するようになるまで、全血を対象から引き出すことができる。次いで、システム１００は、血液成分分離装置１５０内に収容されている血液を分離し、所望の血液成分を集収し、残りの血液成分を対象へ戻す。次いで、システム１００は、さらに全血を対象から引き出し、例えば血液成分の規定量が集収されるまで上記プロセスを繰り返す。いくつかの態様、特に血液成分分離装置１５０において単一の流出口のみが設けられている態様では、血液成分分離装置１５０は、同じ流出口を通して、第１の血液成分及び第２の血液成分の流出を切り換えて行うことができる。例えば、血液成分分離装置１５０は、まず血漿を血漿バッグ１５８へ流出させ、その後、残りの血液成分を対象へ同じ流出口を通して戻すことができる。
【００２８】
図３に示すように、上記システム構成要素に加えて、システムは、多数のバルブ、フィルタ、圧力モニタ及びセンサを備えていてよく、これらは、システム全体の操作を簡単にするものである。特に、上述の各ラインは、ライン内にフィルタを収容していてよい。例えば、リターンライン１４０は血液フィルタ２４０を備えていてよく、戻される血液成分はこの血液フィルタ２４０を通らなければならない。加えて、抗凝血剤ライン１３０は、細菌フィルタ２６５を含んでいてよく、この細菌フィルタ２６５は、抗凝血剤源１３４中の何らかの細菌がシステムに入ることを防止する。ドローライン１２０は血液フィルタ（図示せず）を有していてよいが、血液を対象から引き出すこと及び使用されない成分を戻すことの両方のために同じラインを使用する慣例のシステムとは異なり、本発明の態様は、ドローライン１２０上のフィルタを必要としないことに留意されたい。特に、これは、リターンラインが、体内へ戻される流体中に存在し得るあらゆる汚染を取り除くフィルタを含むからである。ドローライン上のフィルタを外すことにより、ドローステップはより迅速に、より効率的になり、ドローポンプには、それほど作動の負担をかけずに済む。別態様では、システムは、より低容量のポンプを使用することができる。加えて、ドローライン１２０上での濾過を回避し、またドロー全血を引き出すため及び血液成分を戻すために同じラインをしないので、これにより、潜在的な微細凝集体が、フィルタから分離装置１５０へ前後に移動することも防止される。
【００２９】
以下にさらに詳細に説明するが、システムは、システム全体にわたり配置されている、システム内の流体の流れを制御するための複数のバルブを有していてよい。例えば、リターンライン及びドローラインは、開放された時にラインを通して流体を流し、閉鎖された時に流れを阻止するバルブ（例えば、それぞれバルブ２８１及び２８０）を含んでいてよい。加えて、保存バッグ１５６、１５８及び廃棄バッグ２２０並びに補償流体源２３０に繋がる各ライン１５２、１５４、２２２、２３２は、同様のバルブ（例えば、それぞれバルブ２８５、２８４、２８６及び２８７）を有していてよい。加えて、血液成分分離装置１５０への流入口は、血液成分分離装置１５０への又はそこからの流れを許容又は阻止するバルブ２８２及び２８３を有していてよい。バルブは、手動式又は自動式であってよい。言い換えれば、バルブは、ユーザ／技術者により手動で操作されてもよいし、例えば制御装置によって、特定の条件を満たした場合に自動式に操作されるようになっていてもよい（例えば、以下に説明する、ライン１４０内で空気を検出すると閉鎖するリターンラインバルブ２８１）。
【００３０】
任意の又は全ての上述のラインが、ライン内の空気の存在を検出するための空気検出器を備えていてよいことに留意されたい。例えば、リターンライン１４０は空気検出器２５０を備えていてよい。ライン内の空気泡の存在は、システムの操作において問題となり得るし、空気泡が血液流に入った場合、対象にとって有害ともなり得る。したがって、空気検出器２５０は、空気泡が検出された場合に、（例えば、リターンポンプ１４２を停止するか又はリターンライン１４０上のバルブ２８１を閉鎖することによって）リターンライン内の１４０流れを停止する連動装置に接続されていてよく、それにより、空気泡が対象へ入ることが防止される。加えて、いくつかの態様では、リターンライン１４０は、空気トラップ２７０を備えていてもよい。空気トラップ２７０は、対象へ戻される流体（例えば、血液成分又は補償流体）からあらゆる空気を除去するために使用することができる。
【００３１】
加えて、図３及び４に示すように、血液成分分離装置１５０は、流出口ポートＰＴ２の近くに配置されたラインセンサ２６０を備えていてよい。ラインセンサ２６０は、流出口ポートＰＴ２及びセンサ２６０を通過する流体を通る光を発するＬＥＤを備えている光学センサであってよい。ＬＥＤ光の反対側に（例えば、流体の反対側の面に）配置されている光検出器は、流体を通過する光を受容し、この受容された光の量に基づいて、通過する流体の密度を決定することができる。この計算された密度に基づき、ラインセンサ２６０は、センサを通過する成分の種類（例えば、血小板又は血漿）を決定することができる。いくつかの態様では、ラインセンサ２６０は、１つ以上の上述のバルブに接続されていてよく、（例えば、直接的に又は制御装置を介して）バルブの操作を制御することができる。例えば、ラインセンサ２６０が、センサを通る流れが血漿から血小板に変化していることを指示する密度の変化を検出した場合には、ラインセンサ２６０は、血漿バッグ１５８へ繋がるバルブを閉鎖し、血小板バッグ１５６に繋がるバルブを開放することができる。
【００３２】
システムは、システム内で流体を再循環させ且つ血液成分を血液成分分離装置１５０から引き出す再循環ポンプ２１０を備えていてもよい。例えば、再循環ポンプ２１０は、サージ・エルトリエーションの際、血漿を血液成分分離装置１５０から除くか又は補償流体を補償流体源２３０から血液成分分離装置１５０へ送るために使用することができ、これについては、以下により詳細に説明する。
【００３３】
図５に示すように、上述のシステム及びそれに対応する構成要素は、共に、ディスポーザブルセット５００としてパッケージングされていてよい。ディスポーザブルセット５００は、血液処理のために必要とされるディスポーザブル（使い捨ての）構成要素のいくつか又は全てを備えていてよい。例えば、ディスポーザブルセットは、とりわけ、ドローライン１２０、リターンライン１４０、抗凝血剤ライン１３０、他の全てのシステムチューブ系、所与のライン内の流れを停止するための多数のバルブ１６４、血小板バッグ１５６、血漿バッグ１５８、抗凝血剤フィルタ２６５及び静脈アクセス装置１１０を備えていてよい。よって、ユーザ／技術者が、血液アフェレーシスプロセスを行おうとする時、予めパッケージングされているディスポーザブルセットを開封して、適切なアフェレーシス機械にその構成要素を組み込むだけでよい。加えて、アフェレーシスプロセスが完了した時には、ユーザ／技術者は、そのディスポーザブル構成要素を取り外し、適切に処分するだけでよい。
【００３４】
図６に、上述の３−ラインの単一アクセス式アフェレーシスシステムを使用する方法を描いたフローチャートを概略的に示す。詳細には、上記方法は、まず静脈アクセス装置１１０を対象へ挿入し（ステップ６１０）、次いで、全血をドローライン１２０を通して引き出すことを開始する（ステップ６２０）。上述のように、ドロー（引出し）ライン１２０内の流れの方向、流量及び期間は、ドローポンプ１２２によって制御される。全血が対象から引き出される時、抗凝血剤ポンプ１３２は、抗凝血剤を、抗凝血剤源１３４から全血へ抗凝血剤ライン１３０を介して導入する（ステップ６３０）。上述のように、抗凝血剤は、システム内での全血の凝血を防止する。
【００３５】
抗凝血処理された全血が血液成分分離装置１５０に達すると、血液成分分離装置は、上述の層状に配置された血液を構成成分（例えば、赤血球、血漿、血小板及び白血球）に分離する（ステップ６４０）。次いで、システムを操作する技術者は、１つ以上の成分を抽出し（抽出される成分は、処置の目的によって決められる）（ステップ６５０）、残りの血液成分を対象へ戻すことができる（ステップ６６０）。上述のように、戻される成分は、対象へリターンライン１４０及びリターンポンプ１４２を介して戻される。リターンプロセス中、ドローライン１２０及びドローポンプ１２２は、ドローライン１２０上に配置されたバルブ２８０を閉鎖することによって、供血者（及びリターンライン１４０）から隔離することができる。加えて、リターンプロセス中、抗凝血剤の流れを阻止するために抗凝血剤ポンプ１３２を停止させることができる。成分の目標の体積が採取／集収されたら（ステップ６７０）、処置は完了する。そうでなければ、システムは、ステップ６２０〜６６０を繰り返すことによって、成分の第２のバッチを採取／集収するために使用することができる。
【００３６】
他の態様によれば、図７に示すように、３−ラインの単一アクセス式アフェレーシスを使用する方法が、いくつかの追加的な任意のステップを含んでいてよい。特に、全血の所定の体積をドローラインを通して引き出し（ステップ６２０）、抗凝血剤を導入した（ステップ６３０）後、上記方法は、引出しを中断し（ステップ７１０）、補償流体を対象へ戻す（ステップ７１２）。補償流体を対象へリターンライン１４０及びリターンポンプ１４２を介して戻すことができ、それにより、引出しステップとリターンステップとの間での切り換えに必要な休止時間を著しく減少する。対象へ戻される補償流体の量は、患者から引き出された全血の体積と実質的に同様であってよいか、或いは、計算された除くべき血液成分の体積（例えば、除くべき血漿の量）に基づくものであってよい。補償流体の適切な量を対象へ戻した後、続いて、上記方法は、例えば、赤血球の予め規定された体積が血液成分分離装置内で分離されるまで、リターンを停止し、全血の引出しを再開する（ステップ７１５）。この（例えば、補償流体を戻すためにドローステップを中断させる）方式で、補償流体を対象へ戻すことによって、任意の時点での体外体積を減少させることができ、対象の処置への許容度を増大させる。
【００３７】
対象から引き出される全血の体積が、血液成分分離装置１５０の体積と等しくある必要はないことに留意されたい。いくつかの態様では、引き出された血液の体積は、血液成分分離装置１５０の体積より小さく、その場合、空気が分離装置１５０内にまだ存在していてよい。そのような態様では、体外体積がより小さくなるので、対象は、処置に対ししてより大きな許容度を有することができる。加えて、上述のように、本発明の態様は、血液成分分離装置がまだ空気を収容している時（例えば、血液成分分離装置１５０が満たされていない時）に、ドローステップを中断させ、補償流体を対象へ戻し、次いで、ドローを再開して血液成分分離装置の体積内で残りの体積を満たす。これによっても、体外体積の量が低減し、対象の処置に対する許容度が向上する。
【００３８】
次いで、血液成分分離装置は、上述のように、抗凝血処理された全血を構成成分に分離し（ステップ６４０）、１つ以上の成分を抽出することができる（ステップ６５０）。この時間で、上記方法は、再度、補償流体を患者へ戻すことができる（ステップ７１７）。追加的に又は別態様で、成分はサージ・エルトリエーションにより抽出する場合には、技術者は、補償流体を血液成分分離装置１５０へ送ることを開始することができる。補償流体により、分離装置内の血漿が、血漿バッグ１５８又は廃棄バッグ２２０（図３）へ移される。上記方法は、血漿の既知の割合が分離装置１５０から移されるまで（例えば８５％）、このサージステップを続けることができる。次いで、上記方法は、血液成分分離装置１５０を停止し、分離装置の内容物（例えば、残りの血液成分及び補償流体）を対象へリターンライン１４０を介して戻す（ステップ６６０）。図６に関連して説明するように、成分（例えば血漿）の目標の体積が採取／集収されたならば（ステップ６７０）、処置は完了する。場合によっては、システムを、ステップ６２０〜６６０を繰り返すことによって、成分の第２のバッチを採取／集収するために使用することができる。
【００３９】
本発明のいくつかの態様は、リターンライン１４０上の１つ以上の圧力センサを備えていてもよい。圧力センサ（図示せず）は、リターンライン１４０内の圧力を測定する。次いで、測定された圧力は、対象にアクセスする地点での圧力に対応する対象アクセス圧力を決定するために使用することができる。本発明の態様は、対象アクセス圧力に基づいてリターンライン１４０内の流れを制御することができる。例えば、対象アクセス圧力が過度に高い場合には、リターンポンプ１４２は、リターンライン１４０内の流れを減少させることができ、それにより、対象アクセス圧力を低下させ、対象への悪影響は回避される。
【００４０】
システムが、残りの血液成分及び補償流体を対象へ戻したら、本発明のいくつかの態様は、抽出された血液成分（例えば血漿）の量及び補償流体で置き換えられた量を決定することができる。そのような態様では、システムは、まずボウル平均ヘマトクリット（bowl mean hematocrit）及び血漿交換比率を計算することができる。次いで、システムは、その情報を利用して、抽出される血漿の量及び補償流体で置き換えられる血漿の量を決定することができる。
【００４１】
システムの全ての成分が、接触する物質に対して適合性を有する適切な材料からなっているべきであることに留意されたい。例えば、ドローライン１２０、リターンライン１４０並びにライン１５２及び１５４は、血液及び血液成分に対して適合性がなくてはならない。加えて、血小板バッグ１５６及び血漿バッグ１５８は、それぞれ、血小板及び血漿に対して適合性がなくてはならない。同様に、抗凝血剤ライン１３０は、抗凝血剤に対して適合性がなくてはならない。
【００４２】
上述の態様の範囲内の全てのポンプのサイズ及び容量は、同一である必要はないことにも留意されたい。例えば、ドローポンプ１２２は、リターンポンプ１４２及び抗凝血剤ポンプ１３２に比して大きく、またより大きな容量を有していてよい。加えて、各ラインを通る流量が等しくある必要もない。例えば、いくつかの態様では、ドローライン１２０及びドローポンプ１２２を通る流量は、リターンポンプ１４２及び抗凝血剤ポンプ１３２を通る流量の合計よりも大きくてよい。
【００４３】
上述の態様の任意のものを、様々なアフェレーシス及び血液処理の処置のために使用することができることに留意することは重要である。例えば、態様は、赤血球アフェレーシス、血漿アフェレーシス、血小板アフェレーシス、又は様々な治療の用途のために使用することができる。
【００４４】
以上の説明により、本発明の様々な例示的な態様を開示したが、本発明の真の範囲から逸脱することがなければ、本発明のいくつかの利点を達成する様々な変更が当業者により行われ得ることに留意されたい。
【図１】
0005546038.tif 000002
【図２】
0005546038.tif 000003
【図３】
0005546038.tif 000004
【図４】
0005546038.tif 000005
【図５】
0005546038.tif 000006
【図６】
0005546038.tif 000007
【図７】
0005546038.tif 000008